(57)【要約】      （修正有）【課題】入浴時に、洗浄具を握れない手の不自由な人でも身体を洗うことができ、介護人が使用する場合も被介護人の身体の洗浄が滑りを生じることなく、低コストで衛生的な手袋で、特にポリエチレン系樹脂を使用した手袋を提供する。【解決手段】身体洗浄用手袋１は、合成樹脂フィルムを２枚重ね合わせ、重ね合わせたフィルム１２の一方の外面に合成樹脂製のネット１３を重畳した状態で、手袋１の形状に裁断し、開口部１４を残して該裁断周縁部で該フィルムと該ネットをヒートシールにより相互に溶着した手袋１であることを特徴とする。【選択図】図１
0003189479.tif 000002
【実用新案登録請求の範囲】
【請求項１】
合成樹脂フィルムを２枚重ね合わせ、重ね合わせたフィルムの一方の外面に合成樹脂製のネットを重畳した状態で、手袋の形状に裁断し、開口部を残して該裁断周縁部で該フィルムと該ネットをヒートシールにより相互に溶着した身体洗浄用手袋。
【請求項２】
前記合成樹脂フィルムはポリエチレン製であることを特徴とする請求項１に記載の身体洗浄用手袋。
【請求項３】
前記ネットはポリエチレン製であることを特徴とする請求項１又は２に記載の身体洗浄用手袋。 
【請求項４】
前記手袋は、指を入れる部分について、親指袋と小指袋とがそれぞれ分かれて、他の指は一つにまとめられている形状であることを特徴とする請求項１ないし３のいずれかに記載の身体洗浄用手袋。
【考案の詳細な説明】
【技術分野】
【０００１】
本考案は、入浴時の身体の洗浄に用いる、手袋で、特にポリエチレンを使用した手袋に関する。
【背景技術】
【０００２】
従来、入浴時における身体の洗浄は、タオルやスポンジ等の洗浄具を用い、洗剤のついた洗浄具を手で握り、これで身体を擦ることにより行われている。しかし、入浴時の身体の洗浄において、洗浄具を握ることが困難な手の不自由な人の場合、洗浄具を用いて身体を洗浄することができないので、入浴時に介護人が必要となり、介護人が被介護人の身体を洗浄することとなる。このとき、介護人が洗浄具を持ったまま、洗剤のついた被介護人の身体を直接手で支えた場合、滑りやすく危険である。また、単なるタオルや布では、被介護人の身体を擦る際に、介護人の加える力が効率的に伝わらず、強く擦れば、被介護人の身体を傷つけたり、不快にさせたりしかねない。
【０００３】
上記の問題点に対応する介護用の洗浄手袋はいくつか提案されている。特許文献１に係る発明は、洗浄剤や無農薬の米ヌカを塗布した軍手を作成し、入浴介護の際両手を使えるようにするものである。また、特許文献２に係る発明は、身体清拭用布を布地に、ポリ酢酸ビニルエマルジョンと汎用ゴムラテックスとを含む清拭剤を、含浸、乾燥させた手袋を提供するものである。該手袋は、洗浄用の水や洗浄剤が十分使えない状況でも、また、介護人が被介護人の体を擦る力をかけずとも、脂汚れや体臭等、被介護人の体の落ちにくい汚れを、簡便に清拭できるものとしている。
【先行技術文献】
【特許文献】
【０００４】
【特許文献１】特開平１０−１９２３６０号公報
【特許文献２】実用新案登録第３０３６０９０号公報
【考案の開示】
【考案が解決しようとする課題】
【０００５】
しかし、上記特許文献に係る手袋は以下の問題があった。
【０００６】
第１に、特許文献１に係る手袋は、製造に時間と手間がかかるとともに、衛生面において問題が残る。第２に、特許文献２に係る手袋について、構成が複雑であり、コストがかかる。
【０００７】
上記問題点に鑑み、本考案は、入浴時に、洗浄具を握れない手の不自由な人でも身体を洗うことができ、介護人が使用する場合も被介護人の身体の洗浄が滑りを生じることなく、低コストで衛生的な手袋で、特にポリエチレン系樹脂を使用した手袋を提供することを目的とする。
【課題を解決するための手段】
【０００８】
上記目的を達成するため、本考案者は、鋭意検討の結果、ポリエチレン系ネット材料をポリエチレン製手袋に加熱圧着することにより、上記課題を解決できることを見出し、本考案を完成するに至った。
【０００９】
すなわち、本考案の身体洗浄用手袋（以下、手袋という。）は、合成樹脂フィルムを２枚重ね合わせ、重ね合わせたフィルムの一方の外面に合成樹脂製のネットを重畳した状態で、手袋の形状に裁断し、開口部を残して該裁断周縁部で該フィルムと該ネットをヒートシールにより相互に溶着した手袋であることを特徴とする。なお、合成樹脂フィルムはポリエチレン製であるとよい。また、手袋が一面に備えるネットはポリエチレン製であると好適である。
【００１０】
手袋の形状は、五本指手袋やミトンのほか、指を入れる部分について、親指と小指がそれぞれ分かれて、他の指は一つにまとめられているように構成されてもよい。
【考案の効果】
【００１１】
本考案に係る手袋は、老人等介護を要する人を入浴させるとき、介護人は滑りを生じることなく身体を支えて洗うことができ、簡便で衛生的な手袋として有用である。
【図面の簡単な説明】
【００１２】
【図１】本考案の実施例１の手袋の型を示す概略的な図である。
【図２】本考案の実施例１の手袋の製造に使用する積層体の構成を示す概略的断面図である。
【図３】本考案の実施例１の変形形態でミトンタイプの手袋の型を示す概略的断面図である。
【図４】本考案の実施例２の手袋の型を示す概略的な図である。
【図５】本考案の実施例２の手袋の使用状態を示す図である。
【考案を実施するための形態】
【００１３】
以下、本考案の実施の形態を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施の形態に限定されるものではない。
【実施例１】
【００１４】
実施例１を図面を参照して詳細に説明する。
【００１５】
図１は、本考案の実施例１の手袋１の型を示す概略的な図である。手袋１を製造するにあたって、手袋１の型は、Ｓ、Ｍ、Ｌのサイズの各サイズよりひとまわり程度大きくなるように外周の大きさを定め、さらに手首部分の絞り込み具合、指の長さ並びに開き角度等を適宜選択することにより設計することができる。そして、本考案に係る手袋１は、手形状の外周がヒートシールされかつ手首部分が開放されて開放口１４としたものである。また、本考案に係る手袋１は、後述するフィルム１２を２枚重ね合わせ、さらにその外面に合成樹脂製のネット１３を重ねた後、外周を手袋型に合わせて手形状にヒートシール（熱溶着）させ、熱溶着部の外側を切断することにより得られる。ここで、熱溶着と切断を同時に行ういわゆる熱溶断を行ってもよい。熱溶着の条件は特に限定されず、従来公知の条件を適宜採用することができるが、好ましくは温度１２０〜２５０℃、圧力１〜１０ｋｇ／ｃｍ2、溶着時間０．１〜１秒程度である。なお、手首部分は予め残して熱溶着して開放口１４としてもよいが、手形の外周すべてを熱溶着し、使用時にはさみで切断して開放口１４としてもよい。
【００１６】
図２を参照する。図２は、本考案の実施例１の手袋１の製造に使用する積層体の構成を示す概略的断面図である。すなわち、 本考案の手袋１は、合成フィルムの基層１２とネット層１３とを加熱圧着した構造である。なお、合成フィルム及びネットはポリエチレン製であると好適である。フィルムやネットの厚みは特に限定されないが、好ましくは１０〜１５０μｍ、特に好ましくは１５〜１３０μｍである。フィルムの厚みが上記範囲未満ではフィルムが破れやすく、一方上記範囲を超えると作業性が低下する傾向にあり、また製造コストが高くなる。
【００１７】
図３を参照する。図３は、本考案の実施例１の変形形態でミトンタイプの手袋２の型を示す概略的断面図である。手袋２は、指を入れる部分が、親指のみが分かれて、他の指は一つにまとめられているタイプのものである。本考案に係る手袋２も手袋１と同様に、ミトン状の外周がヒートシールされかつ手首部分が開放されて開放口２４としたものである。また、手袋２は、フィルム２２を２枚重ね合わせ、さらにその外面に合成樹脂製のネット２３を重ねた後、外周をミトン型に合わせてミトン形状にヒートシール（熱溶着）させ、熱溶着部の外側を切断することにより得られる。さらに、手袋２は、合成フィルムの基層２２とネット層２３とを加熱圧着した構造である。なお、合成フィルム及びネットはポリエチレン製であると好適である。
【００１８】
本考案に係る手袋１の製造は通常用いられている従来の装置を用いて行なわれる。すなわち、２枚の基層１２、２２とネット層１３、２３の積層シートを、手袋１又は２の金型を装着した高周波ヴェルダーを用いて積層シートの溶融による融着と切断を同時に行ない、その後に手の挿入部を切断により形成する方法が好適である。
【実施例２】
【００１９】
実施例２を図面を参照して詳細に説明する。
【００２０】
図４は、本考案の実施例１の手袋３の型を示す概略的な図である。手袋３は、指を入れる部分が、親指袋３１ａと小指袋３１ｂがそれぞれ分かれて、他の指は一つの主袋３０にまとめられているタイプのものである。本考案に係る手袋３も手袋１、２と同様に、外周がヒートシールされかつ手首部分が開放されて開放口３４としたものである。また、手袋３は、フィルム３２を２枚重ね合わせ、さらにその外面に合成樹脂製のネット３３を重ねた後、外周を型に合わせて当該形状にヒートシール（熱溶着）させ、熱溶着部の外側を切断することにより得られる。さらに、手袋３は、合成フィルムの基層３２とネット層３３とを加熱圧着した構造である。なお、合成フィルム及びネットはポリエチレン製であると好適である。
【００２１】
図５は、本考案の実施例２の手袋３の使用状態を示す図である。図５に示すとおり、使用者は手Ｈの親指を親指袋３１ａに、小指を小指袋３１ｂに入れて使用するとよい。なお、親指袋３１ａと小指袋３１ｂは同じ大きさにして、右手でも左手でも使用することができるようにすると便利である。
【００２２】
以上、本考案の手袋の構成例における好ましい実施形態を図示して説明してきたが、本考案の技術的範囲を逸脱することなく種々の変更が可能であることは理解されるであろう。
【産業上の利用可能性】
【００２３】
本考案の手袋は、安価で衛生的でかつ簡易に使用できるため、汚れた場合等の衛生面の理由などから適宜使い切りができる。よって、介護用の身体洗浄具としてのみならず、家庭、工場、病院、ホテル、実験室、飲食店の調理場等の種々の場所で広く使用することができる。
【符号の説明】
【００２４】
１  ２  ３  手袋
１２  ２２  ３２  基層（フィルム）
１３  ２３  ３３  ネット層
１４  ２４  ３４  開放口
３１ａ  親指袋
３１ｂ  小指袋
【図１】
0003189479.tif 000003
【図２】
0003189479.tif 000004
【図３】
0003189479.tif 000005
【図４】
0003189479.tif 000006
【図５】
0003189479.tif 000007